(57)【特許請求の範囲】
【請求項１】
芝のほふく茎をほぐし少なくとも２つのネットに保持せしめた芝移植・栽培用シートであって、前記芝がウルトラドワーフであり、保持される芝の密度（苗量）が１００ｇ／ｍ２〜５００ｇ／ｍ２である芝移植・栽培用シート。
【請求項２】
前記芝のほふく茎が２つのネットの間に挟持されて保持されている請求項１に記載の芝移植・栽培用シート。
【請求項３】
保持される芝の密度（苗量）が２５０ｇ／ｍ２〜５００ｇ／ｍ２である請求項１又は２に記載の芝移植・栽培用シート。
【請求項４】
ウルトラドワーフがチャンピオンドワーフ、ミニバーディー、フロラドワーフ、ＭＳスプリーム及びティフイーグルからの１種又は２種以上を含む、請求項１〜３のいずれかに記載の芝移植・栽培用シート。
【請求項５】
ウルトラドワーフがチャンピオンドワーフである請求項４に記載の芝移植・栽培用シート。
【請求項６】
芝生の上で行われるボール競技の競技場の芝生又は公園あるいは庭園の芝生について予め設計された起伏を有する表面形状を、芝生の生育後にも保持する芝生の植栽方法であって、
芝のほふく茎をほぐし、少なくとも１つのネットに保持せしめた、保持される芝の密度（苗量）が１００ｇ／ｍ２〜５００ｇ／ｍ２である芝移植・栽培用シートであって、前記芝がウルトラドワーフである芝移植・栽培用シートにより、前記競技場又は公園あるいは庭園の芝生を生育させる予定地の少なくとも一部に、前記予め設計された起伏を有する表面形状が形成されるように芝を移植すること、
移植された芝を、前記予め設計された起伏を有する表面形状を維持しつつ生育せしめること、
を含む芝生の植栽方法。
【請求項７】
保持される芝の密度（苗量）が２５０ｇ／ｍ２〜５００ｇ／ｍ２である請求項６に記載の方法。
【請求項８】
前記芝のほふく茎が２つのネットの間に挟持されて保持されている請求項７に記載の方法。
【請求項９】
ボール競技の競技場がゴルフ場である請求項８に記載の方法。
【請求項１０】
ウルトラドワーフがチャンピオンドワーフ、ミニバーディー、フロラドワーフ、ＭＳスプリーム及びティフイーグルからの１種又は２種以上を含む、請求項９に記載の方法。
【請求項１１】
ウルトラドワーフがチャンピオンドワーフである請求項１０に記載の方法。
【請求項１２】
ボール競技の競技場がゴルフ場であり、ウルトラドワーフとしてチャンピオンドワーフが用いられる請求項７に記載の方法。
【発明の詳細な説明】
【技術分野】
【０００１】
本発明は、芝移植・栽培用シートに関する。
【背景技術】
【０００２】
競技場や公園・庭園の芝生は、種子繁殖する芝によって形成されるほか、栄養繁殖型の芝を予めマット状もしくはロール状に生育させた芝により移植・生育して形成される。マット状もしくはロール状に生育させた芝移植・生育用の資材の例として、短冊状（通常３０ｃｍ×３７ｃｍ程度の大きさ）切り芝となしたもののほか、長尺の巻ロール状のものがある（特許文献１〜４）。
【０００３】
前記のマットもしくはロール芝の他に、ゴーローン（登録商標）として市販されている資材も知られている。ゴーローンは、芝のほふく茎を完全にほぐした状態で高圧洗浄・噴霧消毒処理をして２枚の木綿ネットに挟んだ、通常約１．１５ｍ×約４６ｍ（正味５０ｍ２）程度の大きさを有する製品である。
【先行技術文献】
【特許文献】
【０００４】
【特許文献１】特開平３−１６４１１１号公報
【特許文献２】特開平５−２６８８３０号公報
【特許文献３】特開平５−２６８８３１号公報
【特許文献４】登録実用新案３０３０２１６号公報
【非特許文献】
【０００５】
【非特許文献１】「ＺＮ工法」、ニチノー緑化社製品パンフレット
【非特許文献２】チャンピオンドワーフ、＜https://www.nichino-ryokka.co.jp/wp-content/uploads/2015/11/9%E3%83%81%E3%83%A3%E3%83%B3%E3%83%94%E3%82%AA%E3%83%B3%E3%83%89%E3%83%AF%E3%83%BC%E3%83%95A4.pdf#search='%E3%83%81%E3%83%A3%E3%83%B3%E3%83%94%E3%82%AA%E3%83%B3%E3%83%89%E3%83%AF%E3%83%BC%E3%83%95+%E5%88%87%E3%82%8A%E6%9C%AD'＞、２００３年５月１５日発表データ部分について２０１６年２月７日に取得
【発明の概要】
【発明が解決しようとする課題】
【０００６】
競技場や公園における芝生は、ボールの転がりや安全性の観点から、その表面形状を所望の形状に保つことが求められる。例えばゴルフ場においては特定の表面形状（アンジュレーションと称されるフェアウェーやグリーンなどの起伏）又はフラットな表面が、部位によってそれぞれ必要とされる。また、その他の競技（サッカー、ラグビー等）の競技場や公園・庭園においては一般に均一でフラットな表面が全面あるいは特定の箇所において要求される。
【０００７】
しかしながら種子繁殖の場合は播種前に耕運機により植栽予定地の土壌を攪拌しなければならないため、芝生を植栽する場所の表面形状は一旦破壊され設計上意図された表面形状の維持には適しない。また短冊状の切り芝も表面形状に対する追従性にかけるため、フラットな表面を形成するには足りるが起伏のある表面形状の形成には適しないため汎用性に欠ける。
【０００８】
ゴーローンは通常の切り芝よりはるかに大きい一定の大きさを有し、またネットの伸縮性のため、芝生を植栽する場所の表面形状の維持により適している。一方使用場面によっては、ゴーローンのような資材において、表面形状の形成がより効率的に行える資材に対する要求がある。すなわち、競技の種類、とくにゴルフにおいては、ボールがより滑らかに、かつ速く転がる芝面に仕上げるために芝の草丈を一定程度まで短くする必要があるが、生育完了時の草丈が比較的高い芝の種類（ゾイシア等）の場合は、短くするための刈り込みの手間・コストがかかってしまう。
【０００９】
競技場や公園・庭園の芝生についての上記背景及び問題点に鑑み、本発明は、芝生を形成する場所における所望の表面形状の形成がより効率的に行える資材を提供することを目的とした。
【課題を解決するための手段】
【００１０】
本発明者らは、上記課題に鑑み芝の種類を含めた資材を探索したところ、これまで併せて用いられることがなかった芝の種類及び補助資材により上記課題が解決される可能性があることを見出し、さらに鋭意研究を進めた結果本発明を完成するに至った。
したがって本発明は、少なくとも以下の発明に関する：
［１］芝のほふく茎をほぐし少なくとも２つのネットに保持せしめた芝移植・栽培用シートであって、前記芝がハイブリッド・バミューダグラスである芝移植・栽培用シート。
［２］前記芝のほふく茎が２つのネットの間に挟持されて保持されている前記[１]に記載の芝移植・栽培用シート。
［３］ハイブリッド・バミューダグラスが、ウルトラドワーフ、ティフグリーン、ティフドワーフ、ティフウェイ（４１９）及びティフウェイIIからの１種又は２種以上を含む、前記[１]又は[２]に記載の芝移植・栽培用シート。
［４］ハイブリッド・バミューダグラスがウルトラドワーフを含む前記[３]に記載の芝移植・栽培用シート。
［５］ウルトラドワーフがチャンピオンドワーフ、ミニバーディー、フロラドワーフ、ＭＳスプリーム及びティフイーグル等からの１種又は２種以上を含む、前記[４] に記載の芝移植・栽培用シート。
［６］ウルトラドワーフがチャンピオンドワーフである前記［５］に記載の芝移植・栽培用シート。
［７］芝生の上で行われるボール競技の競技場の芝生又は公園あるいは庭園の芝生について予め設計された表面形状を、芝生の生育後にも保持する芝生の植栽方法であって、
芝のほふく茎をほぐし少なくとも１つのネットに保持せしめた芝移植・栽培用シートであって、前記芝がハイブリッド・バミューダグラスである芝移植・栽培用シートにより、前記競技場又は公園あるいは庭園の芝生を生育させる予定地の少なくとも一部に芝を移植すること、
移植された芝を生育せしめること、
を含む芝生の植栽方法。
［８］前記芝のほふく茎が２つのネットの間に挟持されて保持されている前記［７］に記載の方法。
［９］ボール競技の競技場がゴルフ場、サッカー場、ラグビー場、ホッケー場又は野球場である前記［７］又は［８］に記載の方法。
［１０］ボール競技の競技場がゴルフ場である前記［９］に記載の方法。
［１１］ハイブリッド・バミューダグラスがウルトラドワーフを含む前記［７］〜［１０］のいずれかに記載の方法。
［１２］ウルトラドワーフがチャンピオンドワーフ、ミニバーディー、フロラドワーフ、ＭＳスプリーム及びティフイーグルからの１種又は２種以上を含む、前記［１１］に記載の方法。
［１３］ウルトラドワーフがチャンピオンドワーフである前記［１２］に記載の方法。
［１４］ボール競技の競技場がゴルフ場であり、ハイブリッド・バミューダグラスとしてチャンピオンドワーフが用いられる前記［７］に記載の方法。
【発明の効果】
【００１１】
本発明によれば、競技場や公園・庭園における芝生について所望の表面形状の形成が容易に行えるばかりでなく、一旦形成された表面形状の維持もより効率的に行うことができ、かつ競技場や公園においては該表面を転がるボールの速度の減衰が阻害されにくい芝生
の形成・維持を容易に行うことができる。
理論に束縛されるものではないが、芝移植・栽培用シートは、自在に変形し得るネットを用いているため予め設計された表面形状に対する追従性に優れるばかりでなく、芝としてドワーフ種であるハイブリッド・バミューダグラスを採用することにより、必要な刈り込みの回数を少なくして芝刈り機等の重機の重量による表面形状への影響を軽減することができるため、表面形状の形成・維持及び転がるボールの速度の減衰が阻害されにくい芝面の形成・維持が容易に行えるのである。このような特性により、本発明の芝移植・栽培用シートによれば、芝が生育する期間中あるいは生育後にスポーツ競技等によって芝がダメージを受けた場合において、重機による作業を可能ならしめるといった効果も奏する。
【００１２】
特許文献１〜４にはハイブリッド・バミューダグラスを長尺の巻ロールの芝に用いてよい移植栽培用芝について記載されているが、これらの文献にはいずれにおいてもゾイシア属の芝を使ってもよい旨記載される一方で、実際にハイブリッド・バミューダグラスを用いた資材を製造したことについては具体的に記載されていない。またこれらの文献は、いずれも芝を移植する際の効率を高めることを指向する発明・考案について記載するに留まり、本願発明が奏する効果については、解決しようとする課題も含め、記載も示唆もするものではない。
【００１３】
また非特許文献１にはゴーローンについて開示されているところ、ハイブリッド・バミューダグラスを用いたものや、競技場や公園・庭園における芝生について所望の表面形状の形成に資するものであることについては記載も示唆もなされていない。
芝生を植栽する施工において所望の表面形状を形成するためには、施工地点の表面形状に追従し、さらに表面形状を所望の期間にわたり維持することが必要である。理論に束縛されるものではないが、施工時の追従性に関係する芝の形態上の主たる特性としてストロン直径（ほふく茎の直径）と節間の長さが考えられ、副次的な特性として葉幅と葉身長（葉長）が考えられる。すなわち、ストロン直径及び節間が小さい芝の苗においては、アンジュレーションの維持及び追従性により優れると考えられる。苗がより変形しやすく柔軟性に富み、当該苗が、接しているか又は近傍に存在する外部の形状に追従しやすいためである。
これらの観点に鑑み、ティフウェイ（４１９）と同様な形態的な特徴をストロン直径及び節間について有するティフグリーン、ティフドワーフは、ティフウェイ（４１９）と同等のアンジュレーションへの追従性を有し、それらのアンジュレーションへの追従性は従来技術において用いられる芝を上回ると考えられる。同様な観点から、上記各芝品種と同様な形態的な特徴をストロン直径及び節間について有するチャンピオンドワーフ以外のウルトラドワーフ（ミニバーディー、フロラドワーフ、ＭＳスプリーム及びティフイーグル）に分類される芝についても、アンジュレーションへの追従性はティフウェイ（４１９）等の上記各芝品種と同等であり、それらのアンジュレーションへの追従性も従来技術において用いられる芝を上回ると考えられる。
表面形状の維持に関係する芝の形態上の特性としては、単位面積当たりのバイオマス量（クッション性）が考えられる。バイオマス量が大きい方が、クッションにより優れるため、追従により一旦形成された所望の表面形状が、芝生を管理するより長い期間にわたり維持されるためである。
アンジュレーションの維持についても、本発明に用いられるハイブリッド・バミューダグラス、とくにウルトラドワーフ、ティフグリーン、ティフドワーフ、ティフウェイ（４１９）及びティフウェイII、なかんずくウルトラドワーフ（チャンピオンドワーフ、ミニバーディー、フロラドワーフ、ＭＳスプリーム及びティフイーグル）は、従来技術において用いられる芝を上回ると考えられる。
このように、ハイブリッド・バミューダグラスを用いる本発明により、芝生を形成する場所における所望の表面形状を従来技術より効率的に形成し、かつより長期にわたり維持し得る資材・方法が提供されるのである。
【図面の簡単な説明】
【００１４】
【図１】本発明の芝移植・栽培用シートの一例を示す断面摸式図である。
【図２】ロール状に巻いた本発明の芝移植・栽培用シートの状態を示す斜視図である。
【図３】本発明の芝移植・栽培用シート及び芝生の植栽方法を用いて植栽すると、地下茎を含む根域の体積が多くなるとを模式的に示す写真図である。図の左側がティフドワーフ、右側がチャンピオンドワーフを用いた例であり、チャンピオンドワーフを用いた右側の方が地下茎を含む根域が密に発達し、体積が多くなっている。
【図４】試験例４において、試験区の区割り後の様子を示す写真図である。
【図５】試験例４において、芝の苗を撒き、その上に１つのネットを広げて該撒かれた苗にかぶせた後の状況を示す写真図である。
【発明を実施するための形態】
【００１５】
以下に本発明をより詳細に説明する。
なお、本明細書において「表面形状を維持する」とは、アンジュレーションと称される起伏を有する表面やほぼフラットな表面が、企図された形状に実質的に維持されることを意味する。例えば、競技場や公園・庭園の表面が、実用的に問題のない程度に維持されることを意味する。
【００１６】
芝移植・栽培用シート
上記のとおり本発明は、芝のほふく茎をほぐし少なくとも２つのネットに保持せしめた芝移植・栽培用シートであって、前記芝がハイブリッド・バミューダグラスである芝移植・栽培用シートに関する。
図１に本発明の芝移植・栽培用シートの例を断面図で示す。ほふく茎１はハイブリッド・バミューダグラスのほふく茎であり、２及び３は上下のネットを示す。上下のネットいずれも木綿製であってよく、ネットの目の大きさは１．０ｃｍ角であってよく、前記上下のネット２及び３の間にほふく茎１を挟んでロール状に巻いて保存及び運搬をしてよい（図２。１０はロール状に巻いた本発明の芝移植・栽培用シートを示す。）。ネットまたはシートのサイズ（長さ及び幅）は使用場所、施工地の表面の形状及び／又は使用目的に応じて変更可能であり、施工地の表面の形状に合わせて切断してもよい。
本発明の芝移植・栽培用シートの大きさは、通常の短冊状切り芝の大きさが３０ｃｍ×３７ｃｍ程度であるのに対し、はるかに長い帯状の形状である。本発明の芝移植・栽培用シートの大きさは本発明の目的を達成する限りにおいてとくに限定されないところ、約１ｍ×約５０ｍであり、好ましくは約１．１５ｍ×約４６ｍ（正味５０ｍ２）程度であるが、使用目的に応じて適宜改変してよい。
【００１７】
また、上記「ネット」は平板でかつ可撓性を有し透水性を具備する芝の生育を阻害しない網目状の資材を意味し、いわゆるネットのほか、網体、紐、織布及び不織布ならびにシートと称される物も包含される。
本発明の芝移植・栽培用シートにおいて、芝を保持することができるものであればネットの目の大きさはとくに限定されず、例えば約１ｃｍ２〜約４ｃｍ２（例えば１．８ｃｍ×１．８ｃｍ）であってよい。
前記目の形状も限定されずほぼ正方形の形状及び矩形状等の多角形が例示される。またネットの目の大きさ及び形状は必ずしも均一でなくてよく、例えば前記の大きさ及び形状のものがそれぞれ混在していてもよい。
本発明の芝移植・栽培用シートのうち、ネットを１つのみ用いるものにおいては、比較的大きめの目を有するネットであってよい。ネットを１つのみ用いる本発明の芝移植・栽培用シートにおける目の大きさは、例えば約１ｃｍ２〜約４ｃｍ２（例えば１．８ｃｍ×１．８ｃｍ）であってよい。この場合、ほふく茎をその一部がネットに絡め、またほふく茎の実質的に全体が少なくとも一部の他のほふく茎と相互に絡まり合うような状態にすることにより、ほふく茎をネットに保持することができる。ここで「芝を保持する」とは、ネットに保持せしめた芝が、その後の製造工程、運搬工程及び施工時において２つのネットを用いて挟持する場合と実質的に同程度であることを意味する。
ネットを２つ用い該２つのネットの間にほふく茎が挟持されて保持されている本発明の芝移植・栽培用シートにおいては、ほふく茎はネットの目の大きさにかかわらず２つのネットの間に挟持されて保持されるため、ネットの目の大きさの自由度はより高い。したがって、ネットを２つ用いる本発明の芝移植・栽培用シートにおける目の大きさは、例えば約１ｃｍ２〜約４ｃｍ２（例えば１.８ｃｍ×１.８ｃｍ）であってよい。芝のほふく茎をほぐし、２つのネットの間に挟持する挟持の仕方も、移植後の芝の生育が阻害されず、また本発明の目的が達成されればとくに限定されない。
【００１８】
ハイブリッド・バミューダグラスは、バミューダグラス（Cynodon spp. L.C. Rich）のうちC. dactylon（４倍体）とC. transvaalensis（２倍体）とを掛け合わせて得られた３倍体である。
本発明の芝移植・栽培用シートにおけるハイブリッド・バミューダグラスは、本発明の目的を達成するものであればとくに限定されないところ、ハイブリッド・バミューダグラスが、ウルトラドワーフ、ティフグリーン、ティフドワーフ、ティフウェイ（４１９）及びティフウェイIIからの１種又は２種以上を含むものは好ましく、ウルトラドワーフを含む本発明の芝移植・栽培用シートはより好ましい。
【００１９】
ウルトラドワーフはハイブリッド・バミューダグラスの一品種であり、突然変異により生じた３倍体のハイブリット種の一つである。ウルトラドワーフは低めの刈高に対応できるため好ましい。ウルトラドワーフとして、チャンピオンドワーフ、ミニバーディー、フロラドワーフ、ＭＳスプリーム及びティフイーグルなどが知られているところ、ウルトラドワーフがチャンピオンドワーフ、ミニバーディー、フロラドワーフ、ＭＳスプリーム及びティフイーグルからの１種又は２種以上を含む本発明の芝移植・栽培用シートは製造が容易であるため好ましい。
【００２０】
ウルトラドワーフのうち、チャンピオンドワーフは、超矮性（葉幅が狭く、葉身長と節間が短い）であり、ハイブリッド・バミューダグラスの中でも成長点が低い位置にあるため、低刈り抵抗性がとくにすぐれている（刈高２．５ｍｍで管理が可能）。また圧力耐性が高いため、芝刈り機、落下したボールあるいは競技者・歩行者から受ける押圧によるダメージからの回復能にも優れるためとくに好ましい。またチャンピオンドワーフは以下のような好ましい特性も具備している：
-非常に密度の高い芝生を形成する
-地下茎の発達が旺盛であるためクッション性が高い（押圧によるダメージ自体が少ない）
-葉幅が細く、きめの細かい芝生を形成する
-垂直方向への伸長は遅いが、横方向への伸長は速いため工期を短くできる
-雑草や藻類の侵入が少ない
【００２１】
本発明の芝移植・栽培用シートはボール競技の競技場、公園あるいは庭園といった、芝生の需要があるあらゆる施設に用いることができる。
前記ボール競技の競技場として、ゴルフ場、サッカー場、ラグビー場、ホッケー場及び野球場が例示される。
公園あるいは庭園には通常の公園・庭園のほか、学校、幼稚園・保育園等の教育施設の校庭・園庭が包含される。
【００２２】
これらの施設のうち、ゴルフ場においてはすでに述べたとおりアンジュレーションと称される起伏が意図的に形成されるところ、本発明の芝移植・栽培用シートは、表面形状の維持及び滑らかなボールの転がりを実現するものであるため、ゴルフ場にとくに好適に用いることができる。また、ゴルフ場において、ハイブリッド・バミューダグラスとしてチャンピオンドワーフを少なくとも一部に含む本発明の芝移植・栽培用シートは、とくに好ましい。
なお、本発明の芝移植・栽培用シートはゴルフ場のみに適用場面が限定されるものではない。本発明の芝移植・栽培用シートは、芝生の表面がフラットであることが企図される施設にも好適に用いることができるためである。すなわち、本発明の芝移植・栽培用シートは、ゴルフ以外の競技場又は公園あるいは庭園にも好適に用いられる。
【００２３】
本発明の芝移植・栽培用シートの製造は、本技術分野における通常の方法により行うことができる。例えば芝（ハイブリッド・バミューダグラスである芝）のほふく茎をほぐし、該ほぐされたほふく茎（苗）を、少なくとも２つのネットの間に保持する。苗の保持は２つのネットの間に挟持して行うことが好ましい。
２つのネットを用いる場合は、製造現場又は植栽現場において、床面あるいは植栽地に延展して静置したネットに、所望の個体数のほぐされた苗をほぼ均等な密度になるように置き、上からもう１つのネットをかぶせてよい。又は延展したネット上にほぐされた苗をほぼ均等な密度になるように置いてもよい。２つのネットの少なくとも一方に、さらに他の１つ以上のネットを重ねてもよい。
保持される芝の密度（苗量）は、約１００ｇ／ｍ２〜約５００ｇ／ｍ２であってよい。なお、ほふく茎を完全にほぐすことにより該ほふく茎に付着していた土壌は脱落するところ、高圧洗浄等の洗浄を行うことは一層の軽量化に資するため好ましい。また、噴霧・浸漬等により、各種殺菌剤・殺虫剤による消毒処理を行うことも植栽後のより健全な生育に資するため好ましい。一方、校庭用や公園用等においては消毒処理を行わないことも好ましい。本発明の芝移植・栽培用シートによる芝の移植は、通常ロール状で提供される同シートを所望の場所に延展し、目土施工（目土掛け）を行えばよく、１０，０００ｍ２程度の場所について１日〜２日で施工を完了することができる。その後の芝の生育は、本技術分野において通常行われる方法に従うことができる。
【００２４】
芝生の植栽方法
また、本発明は以下の方法にも関する：
芝生の上で行われるボール競技の競技場の芝生又は公園あるいは庭園の芝生について予め設計された表面形状を、芝生の生育後にも保持する芝生の植栽方法であって、
芝のほふく茎をほぐし少なくとも１つのネットに保持せしめた芝移植・栽培用シートであって、前記芝がハイブリッド・バミューダグラスである芝移植・栽培用シートにより、前記競技場又は公園あるいは庭園の芝生を生育させる予定地の少なくとも一部に芝を移植すること、
移植された芝を生育せしめること、
を含む芝生の植栽方法。
本発明の方法には、芝生の施工現場において芝の苗を撒き、その上に１つ又は２つ以上のネット又はシートを広げて該撒かれた苗にかぶせ、苗を保持する植栽方法も包含される。本発明の方法によれば、用いられるネット又はシートの枚数にかかわらず、ネット又はシートを広げて苗を保持する工程において、ネット又はシートを当該場所の地形（アンジュレーションやフラットな地形）に合わせて張ることができる。芝のほふく茎が２つのネットの間に挟持されて保持されている（２重ネット）芝移植・栽培用シートを用いる本発明の方法は、植栽時に苗の脱落がより少ないばかりでなく、コスト及び作業時間等における優位性があるため好ましい。上記２重ネットを用いる態様においては、ネット又はシートを地形に合わせて張ることがより容易かつ正確に行える利点もある。
【００２５】
前記ボール競技の競技場として、ゴルフ場、サッカー場、ラグビー場、ホッケー場及び野球場が例示される。
公園あるいは庭園には通常の公園・庭園のほか、学校、幼稚園・保育園等の教育施設の校庭・園庭が包含される。
【００２６】
本発明の植栽方法においては、本発明の芝移植・栽培用シートを用いることができる。したがって、本発明の芝移植・栽培用シートについての上記説明は、本発明の植栽方法において用いられる前記芝移植・栽培用シートについても該当することである。
したがって、ボール競技の競技場がゴルフ場であり、ハイブリッド・バミューダグラスとしてチャンピオンドワーフが用いられる本発明の方法はとくに好ましい。
またボール競技の競技場がゴルフ場であり、ハイブリッド・バミューダグラスとしてチャンピオンドワーフが用いられる本発明の方法は好ましい。この場合、芝のほふく茎が２つのネットの間に挟持されて保持されている芝移植・栽培用シートを用いる本発明の方法はより好ましい。
【００２７】
本発明の植栽方法において、芝移植後の芝の生育は、本技術分野において通常行われる方法に従うことができる。
【実施例】
【００２８】
本発明について以下に実施例・試験例を示しながらさらに詳細に説明する。本発明はいかなる意味においても、これらの実施例・試験例に限定されるものではない。
[実施例１]ウルトラドワーフ（チャンピオンドワーフ）を用いた本発明の芝移植・栽培用シート
芝（チャンピオンドワーフ）のほふく茎を完全にほぐし、高圧洗浄・噴霧消毒処理をした後、２枚の木綿ネットの間に挟み本発明の芝移植・栽培用シートを製造した。供試された芝の密度（苗量）は、約３００ｇ／ｍ２であった。
同様な方法により、他のハイブリッド・バミューダグラス（ミニバーディー、フロラドワーフ、ＭＳスプリーム及びティフイーグル等）についても本発明の芝移植・栽培用シートを製造することができる。
【００２９】
[試験例１]ボール速度評価試験
関東地方にあるゴルフ場において、チャンピオンドワーフを用いて形成された芝面におけるゴルフボールの転がり（グリーンスピード）を測定した（２０１３年４月〜８月）。
スティンプメーターを用い、一定の高さ２６．０６ｃｍから一定の角度（２０度）において放出されたゴルフボールの転がる距離を測定してゴルフボールの転がりの指標とした。
その結果、本発明の芝移植・栽培用シートを用いて形成された芝面における計測距離は９．０ｆｔであり、ＵＳＧＡ（全米ゴルフ場協会）による一般のゴルフ場についてのパッティンググリーンのスピードを評価する評価区分において、最も優れた「速い」区分（表１）に相当するものであった。
【表１】
0006342926.tif 000002
【００３０】
他のハイブリッド・バミューダグラス（フロラドワーフ、ティフドワーフ、ティフイーグル、ＭＳスプリーム、ミニバーディー及びティフグリーン）についても、同様な結果が得られた。
したがって本発明の芝移植・栽培用シートを用いて形成された芝面におけるゴルフボールの転がりは、極めて優れていることが明らかである。
【００３１】
[試験例２]アンジュレーション維持能評価試験
関東地方にあるゴルフ場において、チャンピオンドワーフを用いて形成された芝生のアンジュレーション維持能の指標として、単位面積当たりのバイオマス量（クッション性）を測定した（２０１３年４月〜８月）。
その結果、チャンピオンドワーフ５を用いて形成された芝面における地下茎を含む根域の厚みは、それぞれ８．３ｍｍ及び１３．８ｍｍであり、ゾイシア等を用いた芝生をはるかに上回る厚みが得られた。地下茎及び根からなる根域の量（体積）も顕著に多かった（図３の右側）。
したがって本発明の芝移植・栽培用シートを用いて形成された芝面におけるアンジュレーション維持能、すなわち芝移植前の表面形状を維持する特性は、極めて優れていることが推測された。
なお図３においてティフドワーフ４についても併せて示した（図３の左側）。ティフドワーフ４もゾイシア等を用いた芝生を上回る厚みが得られた。
【００３２】
[試験例３]低刈り耐性評価試験
米国の８ヶ所（テキサス州の２ヶ所、アラバマ州の２ヶ所、アリゾナ州の１ヶ所、ミズーリー州の１ヶ所、カリフォルニア州の１ヶ所及びフロリダ州の１ヶ所）において、チャンピオンドワーフの生育について試験を行った（２００３年）。
その結果、チャンピオンドワーフを用いて形成された芝における生育指標（葉幅、葉身長、ストロン直径及び節間）の数値は表２に示すとおりであり、極めて矮性であった。また、チャンピオンドワーフの成長点は葉頂から１／３付近の低位置に存在するため、一層の低刈りが可能であることが明らかになった。
したがって本発明の芝移植・栽培用シートを用いて形成された芝面における低刈り耐性能は、極めて優れていることが推測された。
【表２】
0006342926.tif 000003
【００３３】
[実施例２・試験例４]アンジュレーションへの追従性評価試験
１．目的：    
アンジュレーション（不陸）のある斜面地において本発明を実施し、アンジュレーションへの追従性を比較例との対比により明らかにする。
２．試験場所：株式会社ニチノー緑化  技術センター
３．実施日：2015年11月6日
４．材料と方法：
下記表３に示す品種を用いた。ティフウェイ（４１９）とチャンピドワーフは本発明の実施例である。比較例として、コモンバミューダである武蔵を用いた。  芝苗量は、いずれの品種についても実用量とした。すなわち、ティフウェイ（４１９）と武蔵については１５０g/ｍ２とし、チャンピドワーフについては２５０g/ｍ２とした。芝苗量とアンジュレーションへの追従性との間は負の相関がある。
各品種において、１重ネットと２重ネットを用いる区を設けた。１重ネット試験区は上記[７]の本発明の実施例であり、２重ネット試験区上記[１]の本発明の実施例である。
【表３】
0006342926.tif 000004
【００３４】
５．試験区：
各区あたり２ｍ２の面積（２ｍ×１ｍ）を取り、上記芝苗量にて施工した。
試験区の配置は下図のとおりであった。図の左右が北と南の方角である。
【化１】
0006342926.tif 000005
【００３５】
アンジュレーションの状態は下図のとおりであった。各試験区のアンジュレーションを設計に合わせて設け、各区が同一の形状になるようにした。すなわち、基準となる高さの地点を中央とし、当該地点から２方向に１ｍ離れた地点に向かって、なだらかな曲面のゆるいアーチ状の両方向傾斜面を設けた。作業に際しては水準器を用い、端部が１ｍの幅を有し、前記中央付近の地点から所定の高さ(−２０ｃｍ)になるようにした。この作業を繰り返し行い、下図のような相互に隣接する各試験区の区割りを設けた（図４）。
【化２】
0006342926.tif 000006
【００３６】
区割りを設けた後、芝の品種以外は本技術分野において通常採用される施工法により各区の設営を行った。すなわち、１重ネットを用いる区においては、土壌面にほぐされた芝の苗を撒き、その上に１つのネット（目の大きさ：１．８ｃｍ×１．８ｃｍ）を広げて該撒かれた苗にかぶせ（図５）、その後重機により目砂を行った。目砂は、芝の苗によるネットの浮きを抑えるためにネット上に所定量の砂を均一に散布する作業である。目砂を行うことにより、一般にアンジュレーションへの追従性は改善される。
２重ネットを用いる区においては、試験区外でネット（目の大きさ：１．８ｃｍ×１．８ｃｍ）を敷均した上に芝苗を撒き、さらにその上からネット（目の大きさ：１．８ｃｍ×１．８ｃｍ）をかぶせ、２重のネットを両方とも合わせて一旦巻き取り（ゴーローン製品と同じ形状にし）、試験区で延展した（図５）。すなわち、２重ネットを用いる区においてはゴーローン（登録商標）の製造に相当する実作業を行い、製造されたゴーローン（登録商標）に相当する部材を処理したことになる。その後重機により目砂を行った。
【００３７】
６．評価方法：３名のパネラーにより、アンジュレーションのある斜面への追従性を達観評価するとともに、施工性（施工の容易さ、所要時間）を評価した。いずれの指標についても、非常によい（◎）、よい（○）、可（△）、やや悪い（▲）、悪い（×）の５段階により評価を行った、一般にアンジュレーションへの追従性については、可（△）以上の評価において実用性が認められると判断される。
【００３８】
７．結果
下記表４に、パネラーによるコメントと併せて示す。表中、「419」はティフウェイ（４１９）を、「チャンピオン」はチャンピオンドワーフを表す。
いずれの区においても、アンジュレーションに追従した。したがって、本発明について、１重ネットを用いたる方法においても十分な効果と実用性が認められた。
品種間においては、差がみられた。すなわち、ティフウェイ（４１９）（ハイブリッドバミューダグラス）を用いた区（本発明）においては、比較例である武蔵（コモンバミューダ）を用いた区よりアンジュレーションへの追従性は明らかに高く、チャンピオンドワーフを用いた区（本発明）においてはさらに優れたアンジュレーションへの追従性が認められた。すなわち、アンジュレーションへの追従性はチャンピオンドワーフ（本発明）、ティフウェイ（４１９）（ハイブリッドバミューダグラス）（本発明）、武蔵（コモンバミューダ）の順に高く、本発明の資材及び方法は、比較例である従来技術を顕著に上回る効果を奏することが明らかになった。
また、施工性についても同様な傾向が明らかに認められ、チャンピオンドワーフ（本発明）、ティフウェイ（４１９）（ハイブリッドバミューダグラス）（本発明）、武蔵（コモンバミューダ）の順に優れていた。
【００３９】
【表４】
0006342926.tif 000007
【００４０】
８．考察
上記のようにアンジュレーションへの追従性はチャンピオンドワーフ（本発明）が最も優れていた。このことは、チャンピオンドワーフを処理した区においては他の区より芝苗量が多くアンジュレーション維持がなされにくい条件であったにもかかわらずとくに優れたアンジュレーションへの追従性を示したことを考慮すると、本発明においてチャンピオンドワーフを用いる態様は、極めて優れた効果を少なくともアンジュレーションへの追従性について奏することが明らかである。
本試験に供試した３種の芝の形態を比較して顕著に認められる差異は、ストロン直径（ほふく茎の直径）と節間に少なくとも存在する。すなわち、ストロン直径及び節間ともに、武蔵、ティフウェイ(４１９)、チャンピオンドワーフの順に小さく（すなわち武蔵＞ティフウェイ(４１９)＞チャンピオンドワーフ）、このことがアンジュレーションへの追従性に影響したと推察される。したがって、ティフウェイ（４１９）（ストロン直径：約０．４５ｍｍ、節間長：約２５ｍｍ）と同様な形態的な特徴をストロン直径及び節間長について有するティフグリーン（それぞれ０．４８ｍｍ、２８．３ｍｍ）、ティフドワーフ（それぞれ０．４１ｃｍ、２４．８ｍｍ）においても、ティフウェイ（４１９）と同様なアンジュレーションへの追従性が示されると考えられる（表５）。
さらに、ティフウェイ（４１９）と同様な形態的な特徴をストロン直径及び節間長について有し、葉長はティフウェイ（４１９）より短い他のウルトラドワーフ（ミニバーディー、フロラドワーフ、ＭＳスプリーム及びティフイーグル）に分類される芝については、アンジュレーションへの追従性はティフウェイ（４１９）と同等以上であると考えられる（表５）。
【表５】
0006342926.tif 000008
【産業上の利用可能性】
【００４１】
本発明によれば、競技場や公園の表面形状の維持が容易になされるばかりでなく、転がるボールの速度の減衰が阻害されにくい芝面の作製・維持管理を容易に行うことができる。したがって本発明は、芝移植・生育産業およびその関連産業の発展に寄与するところ大である。
【００４２】
１・・・ほふく茎
２・・・上網
３・・・下網
４・・・ティフドワーフ
５・・・チャンピオンドワーフ
１０・・・芝移植・栽培用シート
【図１】
0006342926.tif 000009
【図２】
0006342926.tif 000010
【図３】
0006342926.tif 000011
【図４】
0006342926.tif 000012
【図５】
0006342926.tif 000013